(57)【特許請求の範囲】
【請求項１】
以下の工程を備えることを特徴とする、プリンタ内部に登録されるロゴデータを作成するロゴデータの作成方法。
（ａ）  複数色の画像データ及び／又はテキストデータからなる元データを取得する元データ取得手段により、元データを取得する工程と、
（ｂ）  前記元データの表示画像を所定の大きさに縮小化処理する縮小化処理手段により、前記元データを縮小化する縮小化工程と、
（ｃ）  設定情報の入力を可能にする設定情報入力手段により、少なくとも前記元データで使用している色を特定の任意の色に減色して割り付けるための入力工程であって、前記割り付けの色はマトリクスを構成する複数のドットに各色を割り当てることより表現可能な中間色であり、当該中間色の設定を含む設定情報の入力を受け付ける設定情報入力工程と、
（ｄ）  入力された前記設定情報に従って、前記元データを加工処理するデータ調整処理手段により、前記元データを加工処理するデータ処理工程と、
（ｅ）  前記縮小化工程(ｂ)において縮小化処理した元データについて、前記設定情報入力工程（ｃ）において入力された前記設定情報に従って前記工程（ｄ）と同様の加工処理を行い、当該加工処理後の処理データを印刷イメージ画像として画面表示するロゴデータイメージ表示手段により、前記印刷イメージ画像を画面表示するロゴイメージ表示工程と、
（ｆ）   前記加工処理後の処理データをロゴデータとして出力するロゴデータ出力手段により、前記データ処理工程の処理データを出力するロゴデータ出力工程。
【請求項２】
前記縮小化工程（ｂ）の後にさらに、
（ｇ）  前記縮小化処理後の処理データをイメージ画像として画面表示する元データイメージ表示手段により、前記縮小化処理後の処理データを表示する元データ表示工程、
を含むことを特徴とする請求項１に記載のロゴデータ作成方法。
【請求項３】
前記元データ表示工程（ｇ）はさらに、
（ｇ１）  前記元データで使用している色数が所定の数を超えるときに、前記縮小化処理されたデータの色を前記所定の数以下に減色処理する工程と、
（ｇ２）  前記所定の色数以下に減色処理した処理データの縮小画像を表示する表示工程とを備え、
前記設定情報入力工程（ｃ）は、前記減色された色種のそれぞれを特定の任意の色に割り付けることを可能にしたことを特徴とする請求項２に記載のロゴデータの作成方法。
【請求項４】
前記減色処理工程（ｇ１）は、前記所定の色数が８色を超えるときに減色処理を行うことを特徴とする請求項３に記載のロゴデータの作成方法。
【請求項５】
前記設定情報入力工程（ｃ）においては、プリンタが印刷可能な複数の色及び印刷用紙の色、並びにこれらの色の組み合わせにより作成される複数種類の中間色を割り付け指定可能であることを特徴とする請求項１〜４のいずれか１項に記載のロゴデータの作成方法。
【請求項６】
前記設定情報入力工程（ｃ）において割り付け可能な色は、プリンタがドット単位で印刷可能な第１色、第２色、及び非印刷により表現可能な印刷用紙の色の３色であり、前記中間色は前記第１色及び前記第２色と前記印刷用紙の色からなる３色の組み合わせにより生成されることを特徴とする請求項５に記載のロゴデータの作成方法。
【請求項７】
前記設定情報入力工程（ｃ）はさらに、ロゴデータを登録するプリンタが使用できない色を割り付けることを禁止することを特徴とする請求項１〜６のいずれか１項に記載のロゴデータの作成方法。
【請求項８】
複数色の画像データ及び／又はテキストデータからなる元データを取得する元データ取得手段と、
画像データ及び／またはテキストデータの画像イメージを所定の大きさに縮小化処理する縮小化処理手段と、
少なくとも前記元データで使用している色を、特定の任意の色に減色して割り付けるための色の設定を含む設定情報の入力を可能にする手段であって、前記割り付けの色はマトリクスを構成する複数のドットに各色を割り当てることより表現可能な中間色であり、当該中間色の設定を含む設定情報の入力を受け付ける設定情報入力手段と、
入力された前記設定情報に基づいて、前記元データ及び前記縮小化処理したデータを加工処理するデータ調整処理手段と、
画像表示手段と、
前記データ調整処理手段により加工処理した元データをロゴデータとして出力する出力手段と、
前記各手段を制御する制御手段と、
を備え、
前記制御手段は、取得した前記元データを前記縮小化処理手段により縮小化処理し、前記設定情報入力手段の入力を受け付け、前記設定情報入力手段により入力された前記設定情報に基づいて前記元データ及び前記縮小化処理されたデータを前記データ調整処理手段により加工処理させ、前記縮小化処理したデータの加工処理後のイメージ画像をロゴイメージ画像として前記画像表示手段に表示させるように、前記各手段を制御することを特徴とするプリンタ内部に登録されるロゴデータを作成するロゴデータ作成装置。
【請求項９】
前記制御手段はさらに、
当該縮小化処理した元データのイメージ画像を前記表示手段の一部に表示させ、前記縮小化処理したデータを前記入力された設定情報に基づいて加工処理した後のイメージ画像をロゴイメージ画像として前記画像表示手段の一部に前記元データのイメージ画像と区別可能に表示させるように前記画像表示手段を制御することを特徴とする請求項８に記載のロゴデータ作成装置。
【請求項１０】
前記制御手段はさらに、
前記元データで使用している色数が所定の数を超えるときは、縮小化処理されたデータの色を前記所定の数以下に減色処理して第１の処理データを生成するよう前記データ調整処理手段を制御し、減色処理をした前記第１の処理データのイメージ画像を元データのイメージ画像として前記画像表示手段の一部に表示させ、さらに前記第１の処理データを前記入力された設定情報に基づいて加工処理した後のイメージ画像をロゴイメージ画像として前記画像表示手段の一部に前記元データのイメージ画像と区別可能に表示させるように前記画像表示手段を制御することを特徴とする請求項９に記載のロゴデータ作成装置。
【請求項１１】
前記制御手段は、前記所定の色数が８色を超えるときに減色処理を行うよう前記データ調整処理手段を制御することを特徴とする請求項１０に記載のロゴデータの作成装置。
【請求項１２】
前記制御手段は、プリンタが印刷可能な複数の色及び印刷用紙の色、並びにこれらの色の組み合わせにより作成される複数種類の中間色の割り付け指定可能となるよう前記設定情報入力手段を制御することを特徴とする請求項８に記載のロゴデータの作成装置。
【請求項１３】
請求項１乃至７のいずれか１項に記載のロゴデータの作成方法の各工程を実現するコンピュータプログラムを格納したコンピュータで読み取り可能な情報記録媒体。
【発明の詳細な説明】
【０００１】
【発明の属する技術分野】
本発明は、多色画像から減色した画像を縮小表示する場合の画面表示方法に関する。特に、本発明は、ロゴデータの作成に際して、ロゴデータの元となる画像及び作成中のロゴデータのイメージ画像を縮小表示するロゴデータ作成方法、及びロゴデータの作成装置に適用性が高いものである。ここにロゴとは、一般的には、例えばＰＯＳ端末装置等でレシート上に印刷される店舗又は企業名等を示す特殊デザインのマークを言うが、本明細書では、後述するようにこれらのマークに加えて、宣伝広告情報、クーポン券、告知情報をも含む概念として用いている。また、本明細書では減色とは、カラー深度を浅くすることまたは2値化するという意味で使用している。
【０００２】
【従来の技術】
多色画像を減色処理した後に縮小表示するような処理は、いくつかの場面で想定できるが、以下では、実用的観点から重要度の高いＰＯＳプリンタで印刷するロゴの作成装置を用いて説明する。しかし、これは本発明がＰＯＳプリンタに限定して適用されることを意味するものではなく、本発明の基本原理に反しない限り多色画像を減色処理した後に縮小表示するような処理に、広く適用可能である。
【０００３】
ＰＯＳ（販売時点管理システム）端末装置では、商品清算情報を印字するレシートの上に、店舗名または企業名等からなるロゴを印刷する。ＰＯＳ端末装置で印刷されるロゴは、特殊な装飾文字であったり、特殊なデザインで構成されるものが多く、ほとんどのロゴは画像情報で構成されている。
【０００４】
このような画像情報はデータ量が多いため、個々のレシート印刷の度にロゴデータを送信していたのでは、印刷に多くの時間を必要とする。一方、ＰＯＳ端末装置では、購入商品の登録及び清算処理を迅速に行う必要があるため、特に迅速な印刷が求められる。そのため、ＰＯＳ端末装置では、頻繁に印刷を行うロゴ情報をプリンタ内部の不揮発性記憶部に記憶（登録）しておき、所定の印刷命令を受信することにより不揮発性記憶部から登録したロゴを読み出して印刷するようにしている。この様にプリンタに登録することにより、ホスト装置からロゴ情報（主として画像情報）を送信する必要がなくなりホスト装置の負担軽減を図ることができるのみならず、送信時間がかからないので印刷速度を大幅に向上させることができる。本発明は、このような各種ロゴデータの作成に高い適用性を有するものである。
【０００５】
最近のフルカラープリンタでは、１６００万色以上の色数の印刷が可能なものもあり、ほぼ自然色に近い色での印刷が可能となっている。しかし、ＰＯＳ端末装置では、商品の清算時にレシート印刷を行わなければならず、高速性、一定の印刷品質、及び静寂性等に加えて経済性が要求されるため、通常、印刷可能な色数が２色または３色等のように、色数が限定されたプリンタが使用されている。
【０００６】
また、ＰＯＳプリンタの主目的は、購入商品の細目及び金額等の詳細情報等をレシート及びジャーナルに正確に印刷することである。そのため、ＰＯＳプリンタではカラー印刷の必要性は低いものと考えられており、カラー印刷の潜在ニーズの存在はあまり認識されていなかった。
【０００７】
しかし、ＰＯＳプリンタで発行されるレシートは、購入商品の細目及び金額等の詳細情報を顧客に伝えるメッセージシートであり、領収書である。従って、レシートは購入商品の登録及び清算処理の終了時に顧客に直接手渡される。多くの顧客は清算に誤りがないかレシートの内容を読み取ることにより確認する。また、多くの顧客は、これらのレシートの内容を確認しつつ、家計簿への記録を行う。
【０００８】
このように、レシートは個々の顧客に個別的に直接に手渡されるものであり、レシートは顧客にとっても重要な記録であるから大切に取り扱われ、通常の広告宣伝用のチラシとは本質的に異なる媒体である。レシートの顧客への注意喚起力、影響力は通常のチラシ広告、つるし広告に比し各段に大きい。特にカラー印刷が可能になると、識別力も増し、顧客の注意力を強く喚起し、レシートをチェックする度にその存在をアピールすることが可能となり、告知上又は販促上極めて有効である。
【０００９】
従って、レシート上に、顧客に興味のある情報を印刷することにより、その情報を顧客に確実に伝えることが可能となる。この場合、できるだけ伝えたい情報の識別性を高めて印刷することが望ましい。例えば、従来のロゴ印刷と同様にして、広告宣伝用の写真または絵もしくは文字、告知情報等（以下告知イメージ情報と呼ぶ）をレシート上にカラー印刷することにより、レシートを通じて顧客への商品プロモーション、告知等をすることが可能となる。ＰＯＳプリンタでは、上述の通り印刷速度と経済性等の観点から、フルカラープリンタではなく、限定された所定の数種類の色（例えば、赤と黒の２色）のみを使用可能なプリンタが主流である。しかし、色数が限定されているとはいえ、カラーイメージ情報を印刷可能なＰＯＳシステムは、単に商品清算登録システムとしてだけでなく、商品販促のツールとしての使用も可能となり、今後、流通分野においてカラープリンタを搭載したＰＯＳシステムの利用がさらに拡大されるものと予測される。
【００１０】
【発明が解決しようとする課題】
このように、カラーロゴ印刷が可能になり印刷目的が多様化してくると、告知情報及び商品広告、クーポン等の印刷目的に適合するようなロゴの作成が必要となる。とくに、印刷可能な色数が少ないため、どのような減色方法により色を減らすか、どのような色の割り付けを行うかは、ロゴイメージに重要な影響を与える。かかる観点から、本出願人は、ロゴ印刷目的に合わせて減色、色の割り当て等の設定を自由に行うことのできるロゴデータ作成方法及び装置に関する一連の発明をした。本発明はこれらの一連の発明に関連するものであり、ロゴの作成にあたり、参照するロゴイメージの画面表示に関する。すなわち、ロゴの作成にあたっては、ロゴの元となる基本画像データを表示しながら減色指定、色の割付指定等を行い、その結果を同一画面で比較することができることが望ましい。そのためには２つの画像を同一画面に表示する必要があるため、画像を縮小して表示することが求められることが多い。画面表示は表示された状態がそのまま印刷されることが望ましいことから、従来技術では、ＷＹＳＷＹＧの概念に従い、本来印刷されるロゴデータを縮小印刷している。
【００１１】
しかし、ロゴデータの場合には、多色の画像を所定の色に減色した後に残りの色を２色又は３色に割り付け処理したものである。多色の画像を少ない色の画像に減色する場合、例えばディザ法を使用して減色する場合等では、減色した後にその画像を縮小表示すると、画面上に格子状の薄い模様が現れ、実際に印刷されるときのロゴの色及び画像として正確なプレビュー表示ができないという問題があった。このような格子状縞模様の発生は、減色処理の後に縮小化処理のためのデータサンプリングを行うと、同じ色が直線状または模様状にサンプリング取得され易いことに起因するものと考えられる。
【００１２】
ＰＯＳプリンタ等のロゴは、少ない色を利用して、できるだけ鮮明な、又はきれいな、若しくはインパクトの強い画像を印刷することを目的とするものであるから、ロゴの作成にあたっては、印刷画像イメージができるだけ明確にプレビュー表示できることが望ましい。
【００１３】
本発明は、上述のような問題を解決することを目的とし、多色の画像をディザ法等により減色処理した処理画像を確認するときなどに、格子状模様等のない縮小イメージ画像を表示できるロゴデータ作成方法、その実行命令を記録した記録媒体、及びロゴデータ作成装置を提供するものである。
【００１４】
尚、本発明はロゴ作成装置に限らず、多色の画像をディザ法等により減色処理した処理画像を確認するときなどに、格子状模様等のない縮小イメージ画像を表示できる縮小表示画面を提供する方法及び装置を提供することもできる。
【００１５】
【課題を解決するための手段】
以上の目的を達成するため、本発明の原理にしたがって、下記の発明を開示する。
【００１６】
本発明では、ロゴを作成するための処理が行われる元データとは別個に、表示用に元データの縮小画像データを先に作成しておき、入力された設定情報に従ってこの縮小画像データを元データと同様に減色処理して表示することにより、上記課題を達成した。
【００１７】
従来技術の場合に現れる格子状縞模様は、減色処理後に縮小化処理のデータサンプリングをするために、同じ色が直線状または模様状サンプリングされることが起こり易いことに起因して発生するものと考えられる。従って、本発明のように縮小化処理してから減色（カラー深度を浅くする又は2値化）すると、縮小化処理のためのサンプリングで同一の色が直線状又は模様状に連続することは少なく、かつ、その後の減色処理でも同じ色が直線状又は模様状に現れることはきわめて稀である。そのため、格子状の模様の出現が防止可能となる。
【００１８】
本発明の１態様にかかるロゴデータの作成方法は、複数色の画像データ及び／又はテキストデータからなる元データを取得する元データ取得手段により、元データを取得する工程と、元データの表示画像を所定の大きさに縮小化処理する縮小化処理手段により、元データを縮小化する縮小化工程と、設定情報の入力を可能にする設定情報入力手段により、少なくとも元データで使用している色を特定の任意の色に減色して割り付けるための入力工程であって、割り付けの色はマトリクスを構成する複数のドットに各色を割り当てることより表現可能な中間色であり、当該中間色の設定を含む設定情報の入力を受け付ける設定情報入力工程と、入力された前記設定情報に従って、元データを加工処理するデータ調整処理手段により、前記元データを加工処理するデータ処理工程と縮小化工程において縮小化処理した元データについて、設定情報入力工程において入力された設定情報に従って加工処理を行い、当該加工処理後の処理データを印刷イメージ画像として画面表示するロゴデータイメージ表示手段により、印刷イメージ画像を画面表示するロゴイメージ表示工程と、加工処理後の処理データをロゴデータとして出力するロゴデータ出力手段により、データ処理工程の処理データを出力するロゴデータ出力工程とを備えることを特徴とする。
【００１９】
この態様によると、減色処理の前に縮小化処理を行うため、前述の理由により格子状の模様は現れず、実際の印刷状態に近いロゴイメージが表示されることになり、現実の印刷状態に即したロゴの作成が可能となる。
【００２０】
さらに本発明の他の態様によるロゴデータ作成方法は、縮小化工程の後にさらに、前記縮小化処理後の処理データをイメージ画像として画面表示する元データイメージ表示手段により、前記縮小化処理後の処理データを表示する元データ表示工程を含むことを特徴とする。これにより、色の割付け（又は割当て）等の指定を行う前の画像を確認しながら、色の割付けが可能となり、さらにロゴデータの作成が容易となる。
【００２１】
また、本発明の他の態様にかかるロゴデータ作成方法は、元データ表示工程がさらに、元データで使用している色数が所定の数を超えるときに、縮小化処理されたデータの色を所定の数以下に減色処理する工程と、所定の色数以下に減色処理した処理データの縮小画像を表示する表示工程とを備え、設定情報入力工程は、減色された色種のそれぞれを特定の任意の色に割り付けることを可能にしたことを特徴とする。これにより、元データイメージの縮小表示も正確なイメージ表示が可能となる。具体的には、8色を超える場合に元データを減色処理して表示し、その後色割り付けを行うような方法とすることができる。
【００２２】
さらに、本発明の実施態様では、設定情報入力工程において、プリンタが印刷可能な複数の色及び印刷用紙の色、並びにこれらの色の組み合わせにより作成される複数種類の中間色を割り付け指定可能である。これによりさらに多様な色の割り付けが可能となる。たとえば、単位ピクセルを近接する複数のドットにより構成したときに、設定情報入力工程において割り付け指定可能な色として、当該単位ピクセルを構成する各色のドットの組み合わせにより表現可能な中間色を含ませることも可能である。また、設定情報入力工程において割り付け可能な色が、プリンタがドット単位で印刷可能な第１色、第２色、及び非印刷により表現可能な印刷用紙の色の３色であり、中間色は第１色及び第２色と印刷用紙の色からなる３色の組み合わせにより生成されるように構成可能である。
本発明の他の態様では、ロゴイメージ表示工程の後にさらに、設定情報を再入力するか、設定情報を確定するかどうかを確認する入力確認工程と、入力確認工程において再入力を選択する場合には前記工程(b)乃至前記工程(e)を繰り返し、確定を選択した場合にはロゴデータ格納工程へ進むように構成することができる。
【００２３】
本発明の他の態様にかかるロゴデータ作成装置は、複数色の画像データ及び／又はテキストデータからなる元データを取得する元データ取得手段と、画像データ及び／またはテキストデータの画像イメージを所定の大きさに縮小化処理する縮小化処理手段と、少なくとも前記元データで使用している色を、特定の任意の色に減色して割り付けるための色の設定を含む設定情報の入力を可能にする手段であって、割り付けの色はマトリクスを構成する複数のドットに各色を割り当てることより表現可能な中間色であり、当該中間色の設定を含む設定情報の入力を受け付ける設定情報入力手段と、入力された設定情報に基づいて、元データ及び前記縮小化処理したデータを加工処理するデータ調整処理手段と、画像表示手段と、データ調整処理手段により加工処理した元データをロゴデータとして出力する出力手段と、前記各手段を制御する制御手段とを備え、制御手段は、取得した元データを縮小化処理手段により縮小化処理し、設定情報入力手段の入力を受け付け、設定情報入力手段により入力された設定情報に基づいて元データ及び縮小化処理されたデータをデータ調整処理手段により加工処理させ、縮小化処理したデータの加工処理後のイメージ画像をロゴイメージ画像として前記画像表示手段に表示させるように、前記各手段を制御することを特徴とする。
【００２４】
本発明の他の実施態様は、制御手段がさらに、縮小化処理した元データのイメージ画像を表示手段の一部に表示させ、縮小化処理したデータを前記入力された設定情報に基づいて加工処理した後のイメージ画像をロゴイメージ画像として画像表示手段の一部に元データのイメージ画像と区別可能に表示させるように画像表示手段を制御することを特徴とする。
【００２５】
また他の実施態様では、制御手段はさらに、元データで使用している色数が所定の数を超えるときは、縮小化処理されたデータの色を所定の数以下に減色処理して第１の処理データを生成するようデータ調整処理手段を制御し、減色処理をした第１の処理データのイメージ画像を元データのイメージ画像として画像表示手段の一部に表示させ、さらに第１の処理データを入力された設定情報に基づいて加工処理した後のイメージ画像をロゴイメージ画像として画像表示手段の一部に元データのイメージ画像と区別可能に表示させるように画像表示手段を制御することを特徴とする。
【００２６】
【発明の実施形態】
以下に本発明の実施形態を説明する。なお、以下に説明する実施形態は説明のためのものであり、本願発明の範囲を制限するものではない。したがって、当業者であればこれらの各要素もしくは全要素をこれと均等なものに置換した実施形態を採用することが可能であるが、これらの実施形態も本願発明の範囲に含まれる。
【００２７】
（本発明の基本概念）
図1は本発明の基本概念の1例を説明する概念図である。
【００２８】
本発明の適用対象となる減色処理後の縮小表示の処理は、図１の手順▲１▼及び▲２▼で示すような画像処理の場合である。処理対象となる多色カラー画像Ａを構成する元データ３は、入力手段９からの設定入力に応じて減色処理等の画像処理６が行われる。加工処理された画像Ａ’はプリンタ等で印刷しても、プリンタにロゴとして登録しても、ファイル出力してもよい。
【００２９】
このような元データ３の画像処理６においては、どのように画像処理するかの設定を行う際に元データ３のイメージａを表示し、また、確認のために、色割付指定による画像処理後のイメージ画像ａ'を表示するのが望ましい。さらにこれらの２つの画像を同時に確認することができるように、これら２つの画像ａ、ａ'を縮小化処理して同一の画面２０上に表示することが望ましい。
【００３０】
従来技術では、手順▲３▼、▲４▼により元データＡをイメージ画像ａとして縮小化表示し、手順▲１▼、▲７▼、▲８▼により加工後のデータＡ'のイメージ画像ａ'を同一画面に縮小表示８していた。表示画面２０は表示の例を示す。このように実際のデータ処理手順にしたがって減色処理６をしてから、縮小化処理７を行うと、前述の通り、格子状の模様等が出現して、正しい処理画像のイメージ表示ができない。
【００３１】
本発明においても、元データ３のイメージ画像ａを表示する手順は、従来技術と同様に手順▲３▼、▲４▼により行う。この場合には減色処理が行われないからである。しかし、画像処理後のイメージ画像ａ'を表示する手順は異なる。本発明では、手順▲３▼、▲５▼、▲６▼により、処理後のデータＡ'の縮小プレビュー表示ａ'を行う。すなわち、縮小化処理７を減色処理６よりも先に行い、縮小化処理７の際のデータサンプリングにより同一色が模様状にデータサンプリングされるのを防止するものである。本発明の縮小画像は、本来的には処理画像を縮小したプレビューとはいえない。しかし、この手順で作成されるイメージ画像は、本来の減色処理された画像を縮小して得られる本来の縮小画面よりも鮮明に、加工処理されたデータのイメージ画像を現わしている。プレビューは、実物を確認することが困難な場合や時間がかかる場合に簡易にそのイメージを確認することを目的としている。したがって、その実態をより正確かつ鮮明に表示していることが重要であり、その作成過程は重要ではない。したがって、本発明では、従来とは異なり、プレビュー表示のために縮小画像を先に作成してそれを減色処理することにより、より鮮明なプレビュー画面の表示を可能とした。
【００３２】
そのためこの発明では、画像処理後のデータのイメージを表示するために、実際の処理画像ではなく、▲３▼、▲５▼、▲６▼の順で処理したイメージ画像を表示するものである。すなわち、まず元データ３を縮小化処理７し、縮小化処理したデータに対して▲１▼から▲２▼で行う画像処理と同じ加工処理を行い、その結果を元データ３の処理画像の縮小イメージとして表示するものである。これにより、前述の理由により、格子状模様等の発生を抑えることができる。
【００３３】
以上の点を前提に以下の説明では、このような減色処理が行われる実際の使用形態として、ＰＯＳプリンタに登録するロゴを作成するためのロゴ作成装置を用いて説明する。
【００３４】
（プリンタへのロゴ登録手順の全体概要）
本発明にかかるロゴ登録の手順の１例を、図２を用いて説明する。図２は、本発明にかかるロゴの作成からプリンタへのロゴの登録までの手順の概略を示す図である。
【００３５】
ロゴデータの登録に当たっては、まず登録しようとするロゴを確定しなければならない。プリンタに登録するロゴの確定には、ロゴの元となる画像等のデータ３（以下元データと呼ぶ）を作成し、この元データ３をさらにプリンタの機種固有条件に合わせて変更処理（加工）する必要がある。元データ３の変更処理では、減色方法及び色割り付けの指定、サイズの指定等が行われる。ロゴ作成の基礎となる元データは、新たに作成する場合と、既存のイメージファイルをそのまま利用する場合とがある。ロゴ編集ツール２を使用するのは、ロゴ印刷の目的に合わせて新しい元データ３を作成する場合である。ロゴ情報は、例えば、クーポン券の印刷、会社／店舗等のロゴの印刷又は、商品の宣伝広告等、その印刷目的に合わせて作成される場合が多い。この様な場合にロゴ編集ツール２が使用される。ロゴ編集ツール２による具体的なロゴの作成作業は、文字情報の作成と、各種絵、写真等の画像情報を取り込んで、希望のロゴになるように文字と画像情報とを適宜組み合わせる作業である。
【００３６】
既存のイメージデータをそのまま利用する場合としては、既存の汎用イメージ作成ツール８１等で作成、又は加工した既存の画像ファイル８２をそのまま元データとして利用する。
【００３７】
ロゴ編集ツールは、本発明とは直接関係しないので、これ以上の説明は省略する。
【００３８】
ロゴデータ作成装置４では、ターゲットプリンタで使用する印刷用紙の幅、印刷解像度、印刷可能な色に合わせて、元データの色及びサイズの調整を行う。色の調整（減色処理、色割付等）、サイズ及び解像度等の調整後のロゴデータ（このようなデータを、ロゴ、ロゴデータ、又はロゴ情報と呼ぶ）がプリンタへの登録対象となる。
【００３９】
このようなロゴデータは、プリンタが接続されている場合にはそのままプリンタに送信され、プリンタ内部の不揮発性記憶部に登録される。また、プリンタがロゴ作成ツールに接続されていない場合には、ロゴデータを登録するための登録用ロゴデータファイルを作成する。登録用ロゴデータファイルは、ロゴデータと、ロゴデータを登録するために必要な各種命令データセットを統合したコマンド付きの画像ファイルである。登録用ロゴデータファイルをホスト装置で読み取らせることにより、ホスト装置に登録専用プログラムをインストールすること無しにロゴ登録を行うことが可能となる。プリンタのロゴ記憶部にロゴが登録されると、ロゴ印刷命令にしたがって、ロゴの印刷が可能となる。
【００４０】
（ロゴデータ作成装置）
ロゴデータ作成装置について詳細に説明する。ロゴ編集ツール２により作成された元データ３又は既存のイメージデータ８２は、ロゴデータ作成装置４により、具体的な特定のプリンタに登録可能な形態に変更処理されて最終形態であるロゴデータとなる。本明細書では、とくに限定しない限り、ロゴデータ作成ツール４により作成された元データ３だけでなく、既存のイメージデータも含めて元データと称するものとする。
【００４１】
前述の通り、ＰＯＳプリンタは、２色または３色で印刷するカラープリンタが中心である。そのため、元データの画像がフルカラー若しくは多種類の色（明度、彩度及び色相）を有するグラフィックデータの場合には、ＰＯＳプリンタで印刷することができるように元の画像の色を印刷可能な色まで減色する必要がある。また、プリンタで使用可能な色数が少ない場合でも、単純な２色ではなく微妙な色合いでの印刷表現が可能である。例えば、プリンタで使用可能な色が赤と黒の２色である場合について説明すると、単位ピクセルを複数のドットで構成することにより、面積階調等の手法を用いて黒色と赤色の濃淡を段階的に表現することが可能である。さらに赤色、黒色、白色（用紙の色）を組み合わせることで、かなり微妙かつ繊細で複雑な色表現（以下、中間色と呼ぶ）も可能となる。３色以上の色の使用が可能であれば、さらに複雑で微妙な色の印刷が可能となる。
【００４２】
ロゴ作成装置では、このような元データの色の減色方法及び印刷可能な色（中間色を含む）の指定（色の割り付けと呼ぶ）を行い、最終ロゴの色表現を確定する。さらに、個々のプリンタによって使用している印刷用紙（レシート）の幅が異なるため、使用している印刷用紙に合わせて印刷するロゴの大きさを調整する必要もある。また、プリンタの印刷解像度により、印刷されるロゴの大きさが異なってくるので、解像度に合わせたロゴの大きさの調整も必要となる。
【００４３】
ロゴデータ作成装置４は、ロゴの登録を希望するプリンタの用紙幅、印刷可能な色、縦及び横の解像度の指定、接続ポートの指定、通信速度、パリティチェック、フロー制御方法等に適合するように元データを加工処理して、希望のプリンタで適正に印刷できるロゴを完成させる装置である。
【００４４】
本明細書では、プリンタに対するこのようなロゴの記憶を、ロゴの登録と呼ぶ。また、作成されたロゴは、固有形式のロゴ登録ファイルとして出力することもできる。
【００４５】
（ロゴデータ作成装置の実施形態）
図３を用いて本発明にかかるロゴデータ作成装置４の実施形態を説明する。図３は、本発明の１実施形態にかかるロゴデータ作成装置４の機能ブロック図である。
【００４６】
ロゴデータ作成装置４は、元データ取得手段１０、元データイメージ表示手段１１、設定情報入力受付手段１２、データ調整処理手段１３、ロゴデータイメージ表示手段１５、ロゴデータ出力手段１６、画像縮小化処理手段１７、及びこれらを制御する主制御手段１４を備えている。
【００４７】
元データ取得手段１０は、主制御手段１４の制御に基づき、ロゴ編集ツール２（図２）からの元データ３（図２）又は既存のイメージファイル８２（図２）を取得する。取得した元データは元データ取得手段１０の内部に記憶される。元データ取得手段１０は、ファイル読み取り手段により各種ファイルを読み出し、またはスキャナ等の画像取得手段により画像を取得することができる。どのようなファイルを読み取り可能にするかは、適宜設定可能である。例えば、磁気記録読取装置（ＦＤドライブ、ＨＤドライブ等）、ＣＤ‐ＲＯＭドライブ、ＣＤ−ＲＷドライブ、ＤＶＤドライブ、スキャナ読取装置等の各種読取装置からの読み取りが可能な読取手段とすることができる。
【００４８】
元データが取得されると、主制御手段１４は、画像調整等をするための設定条件の入力を受け付けるように設定情報入力受付手段１２を制御する。これにより、プリンタの名称、プリンタで印刷可能な色、解像度、階調指定、及びロゴを送信するための通信条件等の設定情報を入力することが可能となる。これと同時に主制御手段１４は、元データイメージ表示手段１１を制御して元データのイメージａを画面２０上に表示させる。元データのイメージａの表示は、元データ画像Ａを元データ取得手段１０から画像縮小化処理手段１７に送信し、縮小化処理後のデータを元データイメージ表示手段１１に送信することにより行う。元データイメージ表示手段１１は受信したデータをイメージａとして画面２０上に表示する。これにより、必要な条件設定の入力の際に、どのような減色方法を使用するか、元画像のどの色をどの印刷可能な色に割り付けるか等を、元データのイメージ画像ａを確認しながら具体的に検討することができる。
【００４９】
設定入力が行われると、入力された設定情報はデータ調整処理手段１３に送信されて、入力された設定情報に従って、色、解像度、サイズ等に関して、元データが処理加工される。この場合に、印刷解像度が下がるとプリンタで印刷される印刷像は全体として大きくなる。従って、印刷画像Ａ'を元データのイメージ像Ａと同じ大きさに維持したい場合、またはプリンタの解像度が低いために印刷画像が印字用紙の幅より大きくなるような場合には、元画像Ａを縮小する等の加工処理も必要である。すなわち、プリンタに登録するロゴＡ'の大きさは、元データのサイズを印刷用紙の幅と解像度の両面から調整処理する必要がある。調整処理された元データの画像Ａ'は、ロゴデータイメージ表示手段１５により変更後のイメージａ'として画面２０上に表示される。従って、設定入力によりどのような印刷画像が作成されるかを、イメージ画像ａにより確認することができる。
【００５０】
変更後のイメージａ'の表示は、次のようにして行われる。まず、元データ取得手段１０から元データを画像縮小化処理手段１７に送信し、縮小化処理した画像ａをデータ調整処理手段１３に送る。
【００５１】
データ調整処理手段１３において、元データと同様の設定情報に基づいて、縮小化処理した画像ａに対して加工処理が行われた後、ロゴデータイメージ表示手段１５に送信されて、処理後のイメージ画像ａ'として表示される。
【００５２】
これにより、処理後のイメージ画像ａ'をみて設定入力を変更することも可能である。設定入力の変更がない場合には設定入力を確定することにより、主制御手段１４の制御に基づいて、データ処理後のロゴデータが、ロゴデータ出力手段１６に転送される。
【００５３】
ロゴデータ出力手段１６は、主制御手段１４の制御に基づいて、ロゴデータを記憶し、又は登録用の特別の形式であるロゴ登録ファイルとして出力し、あるいはプリンタへの登録を行う。ロゴデータ出力手段１６は、さらに、上述のターゲットプリンタのスペックに合わせた調整処理後のロゴデータを、モノクロ又は多色のビットマップからなる画像ファイルとして出力することも可能である。この様にして作成されたファイルは、ロゴデータ作成装置４の内部又は外部（図示せず）の記録手段（例えば磁気記録手段）に記憶することができる。
【００５４】
尚、色の割り付け指定、画像処理方法の指定等の具体的な設定入力については、後ほどフローチャートおよび操作画面の図を用いて詳細に説明する。
【００５５】
（ロゴデータ作成手順）
次に図４を用いて、ロゴデータの作成手順について説明する。図４は、本発明のロゴデータの作成方法にかかる１実施形態を示すフローチャートである。図４のフローチャートには、各工程の右側に、その工程で得られる画像である関連する元データ画像Ａ、画像処理後の画像Ａ'、画像Ａの縮小データの画像ａ、及びロゴＡ'の縮小されたプレビューイメージ画像ａ'を示している。
【００５６】
フローチャートを順を追って説明する。まず、先ほど説明した編集ツール２で作成した元データファイルまたは、既存のイメージファイルから元データとなるオブジェクトを読み出して、加工のために記憶する（Ｓ１０１）。次に記憶した元データの画像Ａを縮小化処理したイメージ画像ａを作成する（Ｓ１０２）。その後縮小化処理したイメージ画像ａを画面２０（図３）上に表示する（Ｓ１０３）。これにより、ロゴ作成者は元データ画像の色、模様等の全体的な印象を把握した上で、次の工程である色の割り当て、減色処理方法の指定等の設定入力を行うことが可能になる。尚、ここで、元データ画像の確認が必要でない場合には、この工程（Ｓ１０２）を省略し、イメージ画像ａの表示をしないで、直接次の工程（Ｓ１０３）に進むことも可能である。
【００５７】
その後、設定情報の入力が受け付けられる（Ｓ１０４）。この段階で、プリンタの機種固有情報の入力、及びプリンタ固有の機能に合わせて最大限の印刷効果を発揮できるような色の割り付け等の入力が可能となる。設定情報の入力が行われると、入力された設定情報に従って、まず元データＡを調整するための画像加工処理が行われ、ロゴＡ'が作成される（Ｓ１０５）。次に、縮小データの画像ａについても元データＡと同様に設定情報に基づいて画像加工処理が行われ、ロゴＡ'の縮小されたプレビューイメージ画像ａ'が作成される（Ｓ１０６）。プレビューイメージ画像ａ'は縮小後に減色処理等の画像処理が施されるので、格子状の模様は発生しない。この段階で、元データの縮小イメージａと加工処理後の画像Ａ'の縮小されたプレビューイメージ画像ａ'が表示されている。従って、ロゴ作成者は、加工処理前と加工処理後の双方のイメージデータを確認できるので、ロゴデータ作成時点で最適なロゴとなるように設定情報の入力を修正することが可能となる。
【００５８】
次に設定入力が確定されたかどうかが確認され（Ｓ１０７）、入力が確定されなければ（Ｓ１０７；Ｎｏ）、工程Ｓ１０４〜Ｓ１０７が繰り返される。従って、画像処理後のイメージ画像ａ'を確認しながら、最適なロゴとして最終確定するまで設定情報の再入力を繰り返し行うことが可能である。設定入力が確定されると（Ｓ１０７；Ｙｅｓ）、ロゴデータの出力が行われる（Ｓ１０８）。
【００５９】
尚、図４では、縮小化処理工程（Ｓ１０２）を元データ取得直後に設けたが、元データの縮小イメージを表示しない場合には、画像処理工程（Ｓ１０５）の後に縮小化工程を設けてもよい。また、本発明は、減色処理工程より前に縮小化処理工程による処理を行うことを特徴とするものであるので、この発明の原理に従って当業者が設計変更可能な範囲は本発明の予定する範囲である。
【００６０】
次に、ロゴ作成処理の表示画面の１例を示す図５乃至図９を用いて、ロゴデータ作成処理を説明する。尚、以下の表示画面で説明する処理は、図４のフローチャートの処理手順で処理される内容と、結果としてほぼ同様の処理を実行するものであるが、図４のフローチャートと１対１に対応するものではない。
【００６１】
まず、図５を用いて、メイン画面について説明する。本発明のロゴデータ作成装置の１実施によると、ロゴデータ作成ツールを起動すると、メイン画面２１０が表示される。この画面２１０には、プリンタ情報指定ボックス２２０が設けられており、この画面からロゴが登録されるターゲットプリンタの用紙幅、印刷可能な色、印刷解像度などのプリンタ固有の情報が設定可能になっている。また、通信条件設定ボックス２２１では、ポート番号、通信速度等の各種条件が設定可能である。これらのプリンタ情報及び通信条件は、プリンタ情報指定ボックス２２０の名称入力部で機種が指定されたときに、可能な限り機種固有情報から自動的に設定されるように構成することもできる。これは、プリンタ毎の機種固有情報を内部に記憶しておき、機種名が入力されたときに対応する機種固有情報を読み出して自動設定するように構成することにより可能となる。
【００６２】
ソースファイル入力部２２３にファイル名を入力することにより、希望するファイルからロゴの基礎となる元データを読み込むことが可能となる。その際、参照ボタン２２４によりファイルをプルダウン形式（図示せず）で参照することができる。第１の表示領域２２５は、元データの縮小画像を表示する領域であり、第２の表示領域２２６は、設定条件に従って画像処理された後の縮小画像を表示する領域である。ソースファイル入力部２２３で指定可能な最も一般的なファイルは、ロゴ編集ツール２（図１）で作成された元データのファイルであるが、できるだけ多くの種類のファイル形式を読み出し可能にしておくことにより、既存の種々の画像ファイルで記憶されている画像データ等を、元データとして利用することができる。
【００６３】
次に元画像の読み込みと設定入力及び画像処理について説明する。メイン画面２１０のソースファイル入力部２２３にファイル名を入力すると、指定されたファイルの内容が元データとして読み出されて所定の記憶場所に記憶される。記憶された元データは、上述の通り、縮小化処理されて、メイン画面２１０内の第１の表示領域２２５に、元データの縮小イメージ画像ａとして表示される。
【００６４】
プリンタ情報指定ボックス２２０からは、登録対象となるターゲットプリンタの名称、用紙幅、使用可能な色及び解像度等のターゲットプリンタの機種固有情報が設定可能となり、通信条件設定ボックス２２１からはポート番号、通信レート及びビット長等の機種固有情報が入力可能である。この場合において、プリンタの名称を入力または指定すると、機種固有情報記憶手段（図示せず）から、対応するプリンタの機種固有情報が読み出されて、自動的に設定されるように構成することも可能である。また、ターゲットプリンタが接続されている場合には、プリンタから自動的に機種ＩＤを読み取り、対応する機種固有情報を自動設定するようにしてもよい。また、プロパティ入力ボックス２２２により色の割り付け減色方法等を設定することが可能である。
【００６５】
第２の表示部２２６には、機種固有情報、プロパティの設定入力に従って画像処理されたデータの縮小イメージａ'が表示される。これらの設定が入力されるまでは、既設定の設定情報またはプリセットされた設定値に従って加工処理され、処理後の加工処理されたイメージ画像が画面２１０の第２の表示領域２２６に表示されるように構成することも可能である。画像処理後のイメージは、例えば、２色プリンタであれば、２色と白（非印字：印刷用紙の色）の3色とその中間色で表現された印刷画像（ロゴ）がプレビューとして表示される。また、プリンタの解像度が低ければ、表示される画像も低い解像度で現される。
【００６６】
尚、この画面では加工処理されたイメージ画像が第２の表示領域２２６に縮小表示されているが、実寸表示ボタン２３１により実際の印刷イメージと同じ大きさ（図示せず）で表示させることもできる。
【００６７】
次に、図５〜図８を用いてイメージデータ及びテキストデータのプロパティの設定について説明する。以下の画面の説明では、プロパティの設定は、ロゴ編集ツール２（図２）で作成した元データ３を画像処理するものとして説明する。ロゴ編集ツール２により作成した元データは、前述した通り、複数の画像データまたはテキストデータを組み合わせたものであっても良い。そのため、まず、図５のプロパティ入力ボックス２２２のオブジェクト指定ボックス２２７で、処理対象となるオブジェクトを指定する。イメージ１が指定されたとすると、ハーフトーン指定キーボックス２２８、及びグレースケール指定ボックス２２９により指定された処理方法により、イメージ１の処理が行われ、処理後イメージ１を含むロゴイメージ全体が第２の表示領域２２６に表示される。プロパティ入力ボックス２２２では、オブジェクト指定ボックス２２７により合成されているすべてのイメージまたはテキストを個別に選択して指定することにより、各イメージまたはテキスト毎に別個の処理することが可能である。
【００６８】
ハーフトーン指定ボックス２２８の減色処理スライダキー２３７は、左から右にスライド可能であり、粗〜密まで段階的に減色処理方法を指定可能である。例えば、粗から密の順に、「単純減色」、「ディザ」、「誤差拡散」の順に３段階に指定できるようにすることができる。また、明るさキー２３６も横方向にスライドして段階的に明るさを指定できる。例えば、５段階の明るさを指定できるようにすることができる。
【００６９】
グレースケール指定ボックス２２９は、オン状態のときに単色に減色処理することを指定することができ、オフ状態のときに印刷可能なすべての色（この例では２色）に減色する。単色にする場合の指定色は、入力ボックス２３８にその色を入力しても、プルダウンメニューの中から１色を選択するようにしてもよい。
【００７０】
また、例えば、プロパティ入力ボックス２２２のオブジェクト入力ボックス２２７にテキスト２と入力すると、プロパティ入力ボックス２２２（図５）が図６のようなテキスト入力画面２４０となる。操作者は、テキスト入力ボックス２４１から、希望するテキスト文字を入力可能であり、色指定ボックス２４２によりプルダウンメニュー等によりテキストの色を指定することができる。
【００７１】
次に図７を用いて、多様な色割り付けを可能にした設定画面の例を説明する。図７（ａ）は、元データを８色まで減色した後、その８色をさらに１５色に割り付け設定することが可能な場合に、１５色への割付け指定のための画面の例を示し、（ｂ）は８色まで減色した元データを３色に割り付ける場合の設定画面の例である。８色までの減色は、前述のハーフトーン指定キーボックス２２８の減色処理スライダキー２３７により選択した減色処理法、またはプリセット設定された減色処理方法で減色する。
【００７２】
図７（ａ）では、印刷可能な色が２色の場合を示しており、第１色が黒色で、第２色が赤色の例である。この画面では黒、ブルー、赤、マジェンダ、グリーン、シアン、黄、白の８色を、割付処理部２５０のスライダ２５１を０→１→２→０→１２の順にスライドさせて、１５色のいずれかに割り当てている。図７の右側には元データのイメージ画像が上段に表示され、下段に色の割り当て処理後のイメージ画像が表示される。
【００７３】
この図７による各スライダ２５１による１５色の指定方法を説明するために、２色の印刷が可能なプリンタでどのようにして１５色の印刷が可能であるか、スライダ２５１によりどのように１５色が指定されるかを、図８を用いて説明する。
【００７４】
２色のインク（非印字を白とすると３色）を使用して、２×２の４ドットからなるマトリクスを１ピクセルとして４ドットに各色を割り当てると、１ピクセルで１５種類の色を表現できる。この１５種の色と図７の色割付スライダ２５１の関係を図８に示す。図８において●は黒色、○は赤色、空白は白のドットを示し、（ｘ、ｙ、ｚ）は各マトリクスにおける（白、黒、赤）のドットの数を示している。すなわち１ピクセルを構成するドット（４個）中の色ドットの割合で単位ピクセル毎の色合いが表現されることとなる。
【００７５】
図８の領域ａ（０→１）では、白と黒のみの組み合わせからなるマトリクスであって白が４個のマトリクスから黒が４個のマトリクスまでの変化の範囲（方向）を示している。領域ｂ（１→２）では、黒と赤のみの組み合わせからなるマトリクスであって、黒が４個から赤が４個になるまでの変化の範囲（方向）を示している。領域ｃ（２→０）では、赤と白のみの組み合わせからなるマトリクスであって、赤が４個から白が４個までの変化の範囲（方向）を示している。領域ｄ（０→１２）では、白と赤と黒の組み合わせであって、白が４個から黒が４個までの範囲（方向）を示している。
【００７６】
スライダの位置による色の割付指定は、図８に示すスライダ２５１と、この領域ａ、領域ｂ、領域ｃの関係により理解することができる。すなわち、スライダ２５１を０→１に移動させると白から徐々に黒くなり、さらに１→２に移動させると黒から徐々に赤くなり、さらに２→０に移動させると赤から徐々に白くなり、０→１２にスライドさせると白から赤黒白が混じった色になり徐々に黒くなる。
【００７７】
次に、図７（ｂ）を用いて８色の元データを３色の色に割り当てる画面を説明する。（ｂ）では、８色に減色された元データの黒、ブルー、赤、マジェンダ、グリーン、シアン、黄、白のそれぞれを、白、第１色（黒）、第２色（赤）のいずれかに割り当てている。この場合も元データと割り当て後のイメージ画像を確認できるようにイメージを表示している。
【００７８】
このように、元データの画像を減色処理したデータに、プリンタで表現できる色にユーザが任意に割り付けることができるようにすることによって、固定的な割り付けでは、重要な色の境目が同一の色に割り付けられてしまい画像が非常に見にくくなるような場合でも、簡単に色割付を変更できるため、表現力のある印刷結果（ロゴ）が得られるようになる。
【００７９】
また表現力に乏しいプリンタ（例えば２色プリンタ）でも、面積階調やドット階調によって割り付けられる色数を増やして、ユーザが任意に種種の印字色を割り付けられるようにすることにより、さらにロゴの表現力を増すことができる。
【００８０】
尚、以上の説明では、プロパティ入力ボックス２２２による色処理の任意指定ができる元データを、ロゴ編集ツール２で作成した元データファイルに限定しているものとして説明したが、オブジェクト指定ボックス２２７により元データとなる既存のイメージファイルを指定するようにして、既存のイメージファイルによる元データも同様に色処理を任意に指定可能となるようにしてもよい。
【００８１】
図５のロゴデータ作成のメイン画面２１０には、編集２３０、テスト印刷２３２、ファイル出力２３３、プリンタ登録２３４、プリンタＮＶ管理２３５、及び終了２３６のボタンがある。
【００８２】
編集ボタン２３０は、ロゴ編集ツール２（図２）を起動するものであり、ロゴデータ作成中のファイルをさらに編集し直したい場合に使用する。ロゴ編集ツール２による編集を終了後、ロゴデータ作成装置は、現在使用しているファイルの内容（編集後の内容）を再度読み込み、編集後の内容を反映させたロゴ作成を行う。編集ボタン２３０による編集処理を、ロゴ作成中の元データファイルがロゴ編集ツール２で作成したファイルであるときだけに限り使用可能であるように限定してもよい。
【００８３】
テスト印刷ボタン２３２は、作成したロゴデータを接続されているターゲットプリンタで実際に印刷してみるためのボタンである。  プリンタＮＶ管理ボタン２３５は、ターゲットプリンタにすでに登録されているＮＶグラフィックス（ＮＶ；不揮発性記憶）の印刷または、削除を行うことができる。
【００８４】
【発明の効果】
以上説明したように、本発明によると、元データを加工した後の縮小イメージを鮮明に表示することが可能となり、実際の印刷イメージと同じイメージ画像を確認できるため、的確な画像処理条件の入力が可能となった。
【００８５】
とくにロゴ作成の際に、微妙な色合いの指定であっても、設定情報による画像を画面上で確認可能であるので、迅速なロゴ作成が可能となった。
【図面の簡単な説明】
【図１】本発明の１実施形態にかかるロゴデータ作成装置の機能ブロック図。
【図２】ロゴ編集ツール及びロゴデータ作成装置によりロゴの登録を行う場合の手順の概略を説明する概念図。
【図３】本発明にかかるロゴ編集ツールの１実施形態を示す機能ブロック図。
【図４】本発明のロゴデータ作成方法の１実施形態を示すフローチャート。
【図５】元データを読み込み、ロゴデータを作成装置のメイン画面の１例を示す図。
【図６】ロゴデータ作成装置において、プロパティ入力ボックスでテキストデータの入力を指定したときに表示されるプロパティ入力ボックスの画面の１例を示す図。
【図７】多様な色割り付けを可能にした設定画面の例を示す図であり、（ａ）は、元データを８色まで減色した後に、１５色に割り付け設定する設定画面の１例を示す図であり、（ｂ）は８色まで減色した元データを３色に割り付ける場合の設定画面の１例を示す図。
【図８】１ドットを２色（非印字を含めると３色）の印刷が可能なプリンタにおいて、１ピクセルを４ドットで現わすときに表現できる１５種の色と図５の色割付スライダ２５１の関係を示す図。
【符号の説明】
２  ロゴ編集ツール
３  元データ
４  ロゴデータ作成装置
５  ロゴ登録ファイル
１０  元データ取得手段
１１  元データイメージ表示手段
１２  設定情報入力受付手段
１３  データ調整処理手段
１４  主制御手段
１５  ロゴデータイメージ表示手段
１６  ロゴデータ出力手段
１７  画像縮小化処理手段
２０  イメージ表示画面
Ａ  元データ画像
Ａ'  画像処理後のデータ（ロゴデータ）
ａ  元データ画像Ａの縮小画像
ａ'  画像処理後のデータ（ロゴデータ）のプレビュー用縮小画像
【図１】
0004590735.tif 000002
【図２】
0004590735.tif 000003
【図３】
0004590735.tif 000004
【図４】
0004590735.tif 000005
【図５】
0004590735.tif 000006
【図６】
0004590735.tif 000007
【図７】
0004590735.tif 000008
【図８】
0004590735.tif 000009